(57)【特許請求の範囲】
【請求項１】
Ｕ形鋼矢板またはハット形鋼矢板による、凹部と凸部が交互に連続する既設鋼矢板壁の水際側に配置されてなる鋼矢板壁であって、
前記鋼矢板壁は、組合せ形鋼の継手部同士を嵌合して形成され、
前記組合せ形鋼は、Ｈ形鋼の前面側および背面側の両フランジ部に長手方向に沿って補強板が取り付けられ、かつ、前記前面側の補強板の両端部に継手部を有する分割した形状の直線形鋼矢板を取り付けてなり、
前記組合せ形鋼を構成するＨ形鋼および両フランジ部に取り付けられた補強板は水底地盤に根入れされてなり、
前記既設鋼矢板壁の凹部に接触する位置に、または、少し離れた位置に、前記背面側の補強板を配置するとともに、
前記組合せ形鋼において、前面側および背面側の補強板形状が下記式（１）の関係を満足した、鋼矢板壁。
Ｐ１×Ｔ１×σｙ１≦Ｔ２×Ｐ２×σｙ２  ……（１）
Ｐ１：前面側補強板の幅（ｍｍ）、Ｔ１：前面側補強板の厚さ（ｍｍ）、Ｐ２：背面側補強板の幅（ｍｍ）、Ｔ２：背面側補強板の厚さ（ｍｍ）、σｙ１：前面側補強板の材料降伏強度（Ｎ／ｍｍ２）、σｙ２：背面側補強板の材料降伏強度（Ｎ／ｍｍ２）
【請求項２】
前記組合せ形鋼において、
前記補強板と前記フランジ外面は溶接により接合され、
前面側および背面側の補強板形状が下記式（３）の関係を満足する、請求項１に記載の鋼矢板壁。
【数１】
0006477586.tif 000009
【請求項３】
前記組合せ形鋼において、
前記補強板の厚さは前記Ｈ形鋼フランジの厚さよりも大きい、請求項２に記載の鋼矢板壁。
【請求項４】
前記組合せ形鋼同士の継手の嵌合部を前記既設鋼矢板壁の凸部に正対しない位置に配した、請求項１〜３のいずれかに記載の鋼矢板壁。
【請求項５】
前記組合せ形鋼における分割した形状の直線形鋼矢板が水底地盤以浅に配置された、請求項１〜４のいずれかに記載の鋼矢板壁。
【請求項６】
前記組合せ形鋼と前記既設鋼矢板壁との間隙に、さらに充填材が充填されて形成された、請求項１〜５のいずれかに記載の鋼矢板壁。
【発明の詳細な説明】
【技術分野】
【０００１】
本発明は、鋼矢板壁に関する。さらには、本発明は、経年使用に伴い腐食や破損により劣化した既設の鋼矢板護岸の補修や、耐震性向上などのための補強を目的とする鋼矢板壁に関する。
【背景技術】
【０００２】
港湾や河川においては、Ｕ形鋼矢板またはハット形鋼矢板などを用いた鋼矢板護岸構造が普及しているが、このような水際においては、鋼材にとっては腐食しやすい環境であることから、鋼矢板が経年劣化し、鋼矢板護岸（既設鋼矢板壁）の構造性能が低下する懸念がある。
【０００３】
経年劣化した既設鋼矢板壁に対する補強対策として、既設鋼矢板壁の水際側（前面側）にさらに新たな壁を構築する方法が一般的である。
【０００４】
新たな壁の構築に関し、一般的な方法として、下記特許文献１図１３に示される鋼矢板壁の構築（従来例１）がある。既設鋼矢板壁が腐食や破損により劣化し、所定の性能が損なわれた場合、水際側に同一性能の鋼矢板壁を向かい合う形で打設し、両鋼矢板壁の間は土砂などにより間詰めする。
【０００５】
この特許文献１には、他にも、予め広幅パネル状の鋼矢板とＨ形鋼などを接合して形成する広幅壁部材を使用して、老朽護岸を補修する方法が提案されている（従来例２、特許文献１図２）。
【先行技術文献】
【特許文献】
【０００６】
【特許文献１】特開２００３−０７４０３８号公報
【発明の概要】
【発明が解決しようとする課題】
【０００７】
従来例１の方法では、護岸に必要な構造性能を回復できる。しかし、新設する鋼矢板壁が大きく水際側に張り出すため、河川においては川幅を狭めて洪水の危険性が増すおそれがあり、また、港湾では港湾水域を狭めて船の接岸に支障をきたすおそれがある。よって、護岸に必要な構造性能を回復すると同時に、新設する鋼矢板壁の護岸前面への張り出しを極力抑えることが必要となる。
【０００８】
この点、従来例２は広幅パネル状の鋼矢板を組み合わせ、かつ、既設鋼矢板壁と新設鋼矢板壁とを結合しており、新設鋼矢板壁の水際側への張り出しが抑えられている。しかし、従来例２には、以下の改善すべき問題点がある。
【０００９】
従来例２の新設壁部材は、広幅パネル状の鋼矢板とＨ形鋼（あるいはＴ鋼）、とを予め組立てるものであるが、その断面形状について、前面側のみに広幅パネル状の鋼矢板を配していることから、前面側と背面側の鋼材量が大きく異なっており、土圧、水圧や地震動などに起因して作用する曲げモーメントに対しては、圧縮応力領域側と引張応力領域側とで吊り合いがとりにくく、十分な剛性や耐力が得られない可能性がある（構造の不合理性）。また、広幅パネル状の鋼矢板の降伏強度についても検討がなされていない。
【００１０】
本発明は、以上の問題点に鑑みてなされたものである。新設壁部材（組合せ形鋼）の圧縮応力領域側と引張応力領域側の鋼材量・降伏強度バランスを改善することで、十分な剛性や断面耐力が、効率的に得られる鋼矢板壁を提供することを、本発明の課題とする。
【課題を解決するための手段】
【００１１】
本発明は上記課題を解決するものであり、本発明の要旨は以下のとおりである。
【００１２】
［１］Ｕ形鋼矢板またはハット形鋼矢板による、凹部と凸部が交互に連続する既設鋼矢板壁の水際側に配置されてなる鋼矢板壁であって、
前記鋼矢板壁は、組合せ形鋼の継手部同士を嵌合して形成され、
前記組合せ形鋼は、Ｈ形鋼の前面側および背面側の両フランジ部に補強板が取り付けられ、かつ、前記前面側の補強板の両端部に継手部を有する分割した形状の直線形鋼矢板を取り付けてなり、
前記組合せ形鋼を構成するＨ形鋼および両フランジ部に取り付けられた補強板は水底地盤に根入れされてなり、
前記既設鋼矢板壁の凹部に接触する位置に、または、少し離れた位置に、前記背面側の補強板を配置した、鋼矢板壁。
【００１３】
［２］前記組合せ形鋼において、前面側および背面側の補強板形状が下記式（３）の関係を満足する、［１］に記載の鋼矢板壁。
【００１４】
【数１】
0006477586.tif 000002
【００１５】
［３］前記組合せ形鋼同士の継手の嵌合部を前記既設鋼矢板壁の凸部に正対しない位置に配した、［１］または［２］に記載の鋼矢板壁。
【００１６】
［４］前記組合せ形鋼における分割した形状の直線形鋼矢板が水底地盤以浅に配置された、［１］〜［３］のいずれかに記載の鋼矢板壁。
【００１７】
［５］前記組合せ形鋼と前記既設鋼矢板壁との間隙に、さらに充填材が充填されて形成された、［１］〜［４］のいずれかに記載の鋼矢板壁。
【発明の効果】
【００１８】
本発明では、Ｈ形鋼の前面側ならびに背面側の両フランジ部に補強板を取付けることから、新設壁部材（組合せ形鋼）の圧縮応力領域側と引張応力領域側の鋼材量・降伏強度バランスを改善し、鋼矢板壁において十分な剛性や断面耐力を効率的に得ることができる。
【００１９】
また、鋼矢板壁の水際側への張り出しも抑制できることから、周辺への影響も小さくできる。
【図面の簡単な説明】
【００２０】
【図１】図１は、本発明の一実施形態を説明する図面である。
【図２】図２は、組合せ形鋼の寸法関係を説明する図面である。
【図３】図３は、本発明の他の一実施形態を説明する図面である。
【図４】図４は、組合せ形鋼の根入れを説明する図面である。
【図５】図５は、本発明の他の一実施形態を説明する図面である。
【図６】図６は、組合せ形鋼の断面に作用する曲げモーメントを説明する概念図である。
【図７】図７は、実施例における発明例１を説明するための概略図である。
【図８】図８は、実施例における発明例２を説明するための概略図である。
【図９】図９は、実施例における比較例を説明するための概略図である。
【発明を実施するための形態】
【００２１】
以下、本発明の実施形態をその最良の形態も含めて説明する。以降の実施形態の説明において新設する鋼矢板壁の端部の図示は省略している。端部の構造は、施工条件等に鑑み適宜決定すればよい。
【００２２】
図１は、本発明の一実施形態を示したものである。図１に示した実施形態は、Ｕ形鋼矢板による凹部と凸部が交互に連続する既設鋼矢板壁１０の水際側に配置されてなる鋼矢板壁１であって、鋼矢板壁１は、組合せ形鋼２の継手部同士を嵌合して形成され、組合せ形鋼２は、Ｈ形鋼５の前面側および背面側の両フランジ部に補強板３、４が取り付けられ、かつ、前面側の補強板３の両端部に継手部を有する分割した形状の直線形鋼矢板６を取り付けてなり、組合せ形鋼２を構成するＨ形鋼５および両フランジ部に取り付けられた補強板３、４は水底地盤に根入れされてなり、既設鋼矢板壁１０の凹部１１に接触する位置、または、少し離れた位置に、背面側の補強板４を配置した、鋼矢板壁１である。既設鋼矢板壁１０において、水際側（前面側）への突出を凸、逆側（背後地盤側、背面側）への突出を凹とする。本発明では、通常、組合せ形鋼２を形成した後、鋼矢板壁１を形成する。組合せ形鋼２は、前面側補強板３のみならず背面側補強板４も備えるので、圧縮応力領域側と引張応力領域側の鋼材量バランスが改善され、十分な剛性や断面耐力を効率的に得ることができる。
【００２３】
既設鋼矢板壁１０はＵ形鋼矢板を組み合わせた凹部と凸部が交互に連続する構成である。しかし、既設鋼矢板壁１０は、ハット形鋼矢板を組み合わせて構成されたものであってもよく、Ｕ形鋼矢板を組み合わせてなる部位およびハット形鋼矢板を組み合わせてなる部位を併せもっていてもよい。
【００２４】
図１に示す鋼矢板壁１では、既設鋼矢板壁１０の凹部１１に正対して背面側補強板４を配しており、既設鋼矢板壁１０の凸部１２に正対して組合せ形鋼２どうしの継手嵌合部を配している。しかし、実際の施工条件に鑑み、組合せ形鋼２の数や間隔を適宜調整すればよい。分割した形状の直線形鋼矢板６のサイズ（特に幅）によっては、ある凹部１１を、組合せ形鋼２が配置されない凹部１１とすることもありうる。
【００２５】
既設鋼矢板壁１０の凸部１２から鋼矢板壁１までの距離（護岸法線直角方向）は、組合せ形鋼２の施工精度のバラツキや、継手形状を考慮して、５０ｍｍ以上あけておくのが望ましい。一方、鋼矢板壁１の水際側への張り出しを抑制する観点から、既設鋼矢板壁１０の凸部１２から鋼矢板壁１までの距離は５００ｍｍ以下が好ましい。
【００２６】
組合せ形鋼２を構成する背面側補強板４と凹部１１は、壁構造の剛性の観点から、接触していることが好ましい。しかし、実際の施工においては、背面側補強板４を凹部１１から少し離しておいたほうが組合せ形鋼２の打設が容易となる場合がある。この場合、背面側補強板４と凹部１１との間隔は施工条件に鑑みて適宜決定すればよいが、あえて一例を挙げると２０〜５００ｍｍとすることができる。以上のとおり、背面側補強板４が凹部１１に接触する実施形態のみならず、背面側補強板４が凹部１１から少し離れて配置される実施形態も有効である。
【００２７】
組合せ形鋼２は、Ｈ形鋼５の前面側および背面側の両フランジ部に補強板３、４が取り付けられ、かつ、前面側の補強板３の両端部に継手部を有する分割した形状の直線形鋼矢板６を取り付けてなる。なお、鋼矢板壁１の形成では、分割した形状の直線形鋼矢板６の継手部どうしを嵌合する。
【００２８】
組合せ形鋼２の前面側の断面幅（分割した形状の直線形鋼矢板６の継手部間の距離）は背面側の断面幅より大きい。組合せ形鋼２の前面側の断面幅は、既設鋼矢板壁１０を構成する鋼矢板のサイズに応じて適宜設定する。しかし、従前の施工機械で対応することを考慮すると、前面側の断面幅は７００〜１３００ｍｍ程度の範囲とするのが好ましい。
【００２９】
組合せ形鋼２は、Ｈ形鋼５の一方のフランジ外面に前面側補強板３を、他方のフランジ外面に背面側補強板４を備え、各補強板を溶接またはボルト接合などにより一体化する。通常、その後、分割した形状の直線形鋼矢板６を前面側補強板３の両端部に溶接により取り付ける。
【００３０】
図１に示す組合せ形鋼２は前面側の断面幅のほぼ中央にＨ形鋼５のウェブが位置している。しかし、打込におけるウォータージェットなどの補助工法との併用を考慮して、Ｈ形鋼５のウェブを前面側の断面幅の中央からずらしてもよい。
【００３１】
なお、前面側補強板３および背面側補強板４は、通常、鋼材である。また、前面側補強板３および背面側補強板４の断面形状は、通常、矩形である。凹部１１の幅には限りがあり、背面側補強板４の断面幅は、Ｈ形鋼５の背面側のフランジと同等以下であることが好ましい。よって、背面側補強板４は前面側補強板３より厚くてよい。
【００３２】
分割した形状の直線形鋼矢板６は、通常、直線形鋼矢板を分割して形成する。この場合、直線形鋼矢板は公知のものを適宜使用可能である。しかし、分割した形状の直線形鋼矢板６は、直線状の板状部分と端部に嵌合可能の継手を有すれば、その製造方法は特に限定されない。
【００３３】
組合せ形鋼２を構成するＨ形鋼５は、公知のＨ形鋼を適宜使用可能である。通常、Ｈ形鋼の断面は二つのフランジをウェブが繋ぐ形状となっている。好ましくは、Ｈ形鋼の断面形状において、フランジ長さ（組合せ形鋼２の幅方向、単位ｍｍ）とウェブ長さ（ｍｍ）の比（フランジ長さ／ウェブ長さ）が０．３〜１．０のＨ形鋼である。なお、本発明において、Ｈ形鋼５の各フランジの長さは同一であることが好ましいが、各フランジの長さは異なっていてもよい。フランジの長さが異なる場合、Ｈ形鋼５の断面形状において、短い方のフランジ長さ／長い方のフランジ長さが０．５以上であることが好ましい。
【００３４】
組合せ形鋼２を構成するＨ形鋼５および両フランジ部に取り付けられた補強板３、４は、護岸に作用する荷重に対して十分抵抗できるように、水底地盤に根入れする必要がある（図４参照）。Ｈ形鋼５および両フランジ部に取り付けられた補強板３、４の根入れ長は適宜決定すればよい。根入れ長の最大は、例えば、既設鋼矢板壁１０の根入れ長と同等程度にできる。図４では、Ｈ形鋼５および両フランジ部に取り付けられた補強板３、４を水底地盤に根入れしており、分割した形状の直線形鋼矢板６は根入れされていない。前面側の水底地盤が軟弱な場合は、地盤改良を行って、本発明構造と組合せることで、作用土圧による護岸の変形リスクや地震外力作用時の護岸の変形リスクを抑止できる。
【００３５】
さらに、本発明では、土圧や地震外力に対しては、組合せ形鋼２のうち、断面剛性の高い部分である、Ｈ形鋼５およびその両フランジ部に取り付けた補強板で構成される部分の根入れ部の地盤反力により抵抗する。このため、分割した形状の直線形鋼矢板６部分には大きな力は作用しない。したがって、水底地盤への根入れは必ずしも必要ではなく、高い止水性が求められる場合や、特殊な地盤でボイリング現象、ヒービング現象などの恐れがある場合を除いては、分割した形状の直線形鋼矢板６の下端は水底面位置以浅としてもよい。言いかえれば、分割した形状の直線形鋼矢板６の下端は、水底位置まで達するか、それより浅い位置に配置されて良い。
【００３６】
護岸などの抗土水圧を目的とした壁構造では、図６に示すような断面に作用する曲げモーメントが一般的に最も支配的な作用外力となる。曲げモーメントに対しては、その作用断面において、圧縮応力と引張応力とが吊り合うことが好ましいが、組合せ形鋼において、特許文献１に開示された従来例２のように、Ｈ形鋼の前面側の一方のみに補強板を取り付ける構造とした場合、組合せ形鋼の前面側と背面側とで大きな鋼材量の差が生じ、その結果、壁断面における圧縮側および引張側の境界部である中立軸が、Ｈ形鋼のウェブ中央から鋼材量の多い補強板を取り付けた方に大きくずれて、曲げモーメントに対する抵抗力が効果的には高まらない（図６（ａ））。
【００３７】
本発明では、Ｈ形鋼５の前面側および背面側の両方に補強板を配置することにより、組合せ形鋼２の前面側と背面側とで大きな鋼材量の差が生じることを防止し、壁断面における中立軸の、Ｈ形鋼５のウェブ中央からのずれを抑制して、曲げモーメントに対する抵抗力が効果的に高まる構造とした（図６（ｂ））。
【００３８】
圧縮応力と引張応力との吊り合いのバランスをとるためには、背面側の補強板４の断面強度（鋼材量×降伏強度）が、前面側の補強板３の断面強度（鋼材量×降伏強度）以上であること（条件１）が好ましい。
図２に示す組合せ形鋼２の寸法関係から、以下の式（１）が導かれる。
【００３９】
【数２】
0006477586.tif 000003
【００４０】
前面側および背面側補強板の材料降伏強度は、その形状、サイズ等に応じて、ＪＩＳあるいは当該構造物の関連基準類に記載の方法より求めればよい。
【００４１】
また、図１に示す実施形態のように、背面側の補強板４は、既設鋼矢板壁１０の凹部１１に接触する位置、または、少し離れた位置に配置することから、その幅Ｐ２を広げることには限界があり、所定の鋼材量を確保するためには、板厚を増やす方法が考えられる。
【００４２】
一方、補強板が曲げモーメントに対する効果的な抵抗部材として働くためには、接合するＨ形鋼５のフランジとの十分な一体化がなされる必要がある。一般的に溶接により接合が行われるが、十分な一体化のためには、Ｈ形鋼５の頭部から水底までの範囲にわたる溶接部の強度が、背面側補強板の断面強度以上である（条件２）ことが好ましい。Ｈ形鋼５のフランジ厚さに比べて、補強板の厚さが大きすぎると、十分な一体化が困難となることが考えられる。
【００４３】
具体的には、Ｈ形鋼５のフランジ厚さＴ（ｍｍ）である場合、溶接部の有効のど厚は最大で「Ｔ÷（２）１／２」となる。次に、Ｈ形鋼の頭部から水底までの距離をＬ（ｍｍ）、溶接箇所はＨ形鋼５のフランジ両端部の２箇所、溶接部の材料せん断強度「τ＝σｙ÷（３）１／２」とすると、溶接部の強度Ｆｗ（Ｎ）は以下の通りとなる。なお、Ｈ形鋼５の材料降伏強度をσｙ（Ｎ／ｍｍ２）とする。
【００４４】
【数３】
0006477586.tif 000004
【００４５】
Ｈ形鋼の材料降伏強度は、その形状、サイズ等に応じて、ＪＩＳあるいは当該構造物の関連基準類に記載の方法より求めればよい。
【００４６】
一方、背面側補強板４の断面強度Ｆｐ（Ｎ）は以下の通りとなる。
【００４７】
【数４】
0006477586.tif 000005
【００４８】
したがって、Ｆｗ≧Ｆｐの関係より、以下の式（２）が導かれる。
【００４９】
【数５】
0006477586.tif 000006
【００５０】
式（１）および式（２）より、背面側補強板４の厚さＴ２の適切な範囲として、以下の式（３）が導かれる。
【００５１】
【数６】
0006477586.tif 000007
【００５２】
なお、背面側補強板４において、厚さを大きくする代わりに、より高い降伏強度を有する鋼材を用いることでも、曲げモーメントに対する抵抗力を効果的に高めることが可能である。また、実際の溶接性や施工性を考慮すれば、背面側補強板の厚さT2は１００ｍｍ以下とすることが望ましい。
【００５３】
図３は本発明の他の実施形態を示したものである。組合せ形鋼２の継手嵌合部を、既設鋼矢板壁１０の凸部１２に正対しない位置に配置することにより、継手嵌合部と凸部１２との干渉が無く、組合せ形鋼２を既設鋼矢板１０の凸部１２に最近接させても施工が可能となる。その結果、鋼矢板壁１の水際側への張り出しさらに抑制できる。なお、本発明において「既設鋼矢板壁１０の凸部１２に正対しない位置」とは、例えば図３に示すように、鋼矢板壁１側に突出したＵ形鋼矢板またはハット形鋼矢板の底面位置からずれた位置を指す。
【００５４】
図３に示すような断面において、Ｈ形鋼５の中心軸（ウェブ位置）と前面側補強板３の中心軸（中央位置）とをずらして接合することや、前面側補強板３の両端に取り付ける分割した形状の直線形鋼矢板６の幅を変えることにより、上記の状態を形成することができる。
【００５５】
図５は本発明の他の実施形態を示したものである。組合せ形鋼２と、既設鋼矢板壁１０との間隙に充填材７を充填することで、より高い断面性能や止水性を得ることができる。
【００５６】
充填材７は適宜選択可能であり、例えば、砂、礫、粘性土、または、コンクリート、ソイルセメント、高流動モルタル材などの経時硬化材料等が挙げられる。また、充填材７として、硬化性薬液を使用することも有効である。例えば、充填材７としてコンクリートを使用する場合、トレミー管を用いて底部から打ち上げつつ、充填する。
【００５７】
充填材７により、組合せ形鋼２と既設鋼矢板壁１０との一体化をより強固とする観点から、既設鋼矢板壁１０の凹部１１と、背面側補強板４との間には、隙間に充填材７が周りこむ程度のクリアランスを確保することが好ましい。なお充填材７として高流動モルタル材を用いる場合は、前記クリアランスを極小とすることが可能である。
【００５８】
また、充填材７と組合せ形鋼２との一体性を高め、強固な壁体を形成するため、組合せ形鋼２や既設鋼矢板壁１０に予め、シヤコネクタを設けてもよい（シヤコネクタの図示は省略する）。
【００５９】
なお、シヤコネクタとしては、代表的なもので異形鉄筋やスタッドジベルを用いる方法がある。また、Ｈ形鋼５および直線形鋼矢板の圧延成形時において突起形状を設ける方法を用いてもよい。またその他のいずれの定着方法を用いてもよい。
【００６０】
また、組合せ形鋼２の頭部と既設鋼矢板１０の頭部とを連結しておくことも、より確実な一体化を行ううえで有効である。なお、頭部とは高さ方向の頂端付近である。例えば、図４ではＷ．Ｌ．よりも上側、背後地盤の表面付近の高さ部分が頭部に該当する。
【実施例】
【００６１】
以下に実施例の説明をする。本発明の技術的範囲は以下の実施例に限定されない。
【００６２】
図７〜９は実施例を説明するための組合せ形鋼の断面の概略図である。なお、分割した形状の直線形鋼矢板の図示は省略する。図７は発明例１、図８は発明例２、図９は比較例の断面図を示す。実施例の説明において、図面は概略図であり、各部材の縮尺は必ずしも正確なものではない。
【００６３】
組合せ形鋼のＨ形鋼５はＨ３５０×２５０×９（ウェブ厚）×１４（フランジ厚）ｍｍ（σｙ＝３２５Ｎ／ｍｍ２）とした。Ｈ形鋼５の頭部から水底までの距離Ｌは１５００ｍｍである。
【００６４】
比較例では、幅４００ｍｍ、厚さ１９ｍｍの前面側補強板（σｙ1＝３２５Ｎ／ｍｍ２）のみを備えたものを使用した。
【００６５】
発明例１では、幅４００ｍｍ、厚さ１９ｍｍの前面側補強板３（σｙ１＝３２５Ｎ／ｍｍ２）と、幅２５０ｍｍ、厚さ１９ｍｍの背面側補強板４（σｙ２＝３２５Ｎ／ｍｍ２）を備えたものを使用した。
【００６６】
発明例２では、幅４００ｍｍ、厚さ１９ｍｍの前面側補強板３（σｙ１＝３２５Ｎ／ｍｍ２）と、幅２５０ｍｍ、厚さ２５ｍｍの背面側補強板４（σｙ２＝４００Ｎ／ｍｍ２）を備えたものを使用した。
【００６７】
以下の表１に、比較例ならびに発明例１〜２の比較結果を記載した。
【００６８】
【表１】
0006477586.tif 000008
【００６９】
なお、前面側と背面側の断面強度比は以下の通りであった。
比較例：  前面側：背面側＝１：０
発明例１：  前面側：背面側＝１：０．６
発明例２：  前面側：背面側＝１：１
比較例に比べて、発明例１〜２では、背面側補強板４を備えたことで、断面耐力Ｍは確実に大きくなっている。また、断面耐力Ｍを断面積Ａで除した耐力−面積比Ｍ／Ａ（単位面積あたりの断面耐力）に着目すると、発明例１では比較例の１．２５倍に、発明例２では比較例の１．３７倍に増加しており、使用する鋼材量に対して効果的に断面耐力が高まっていることがわかる。
【００７０】
発明例１〜２について、図１、３、５に示した実施形態の鋼矢板壁を形成し、十分な剛性、断面耐力を効率的に得ることができた。なお、いずれの発明例も、組合せ形鋼２の前面側の断面幅は７００〜１３００ｍｍの範囲内とした。
【符号の説明】
【００７１】
１      鋼矢板壁
２      組合せ形鋼
３      前面側補強板
４      背面側補強板
５      Ｈ形鋼
６      分割した形状の直線形鋼矢板
７      充填材
１０    既設鋼矢板壁
１１    凹部
１２    凸部
【図１】
0006477586.tif 000010
【図２】
0006477586.tif 000011
【図３】
0006477586.tif 000012
【図４】
0006477586.tif 000013
【図５】
0006477586.tif 000014
【図６】
0006477586.tif 000015
【図７】
0006477586.tif 000016
【図８】
0006477586.tif 000017
【図９】
0006477586.tif 000018